(57)【特許請求の範囲】
【請求項１】
避難者を収容し得る収容部を有する本体と、該本体を支持する枠体と、該枠体の内側に設けられる支持層と、前記本体の外壁の高所に設けられる取水口と、該取水口から取り入れられる水を前記支持層へ導く水路とを備え、
前記本体が鉄筋コンクリート造であり、
前記支持層が空隙を有し、
前記水が前記空隙に流れ込むことによって、前記本体が浮き上がることを特徴とする避難施設。
【請求項２】
前記本体の床に、前記本体と前記支持層との間に空間を形成する突部が設けられていることを特徴とする請求項１に記載の避難施設。
【請求項３】
前記突部が、前記本体の幅方向中央に、前記本体の両側面間にわたって延在するように形成されていることを特徴とする請求項２に記載の避難施設。
【請求項４】
前記本体の、前記枠体に接する部分の周囲に突出部が設けられていることを特徴とする請求項１に記載の避難施設。
【請求項５】
前記水路を形成する管が鉄筋コンクリートで構成されていることを特徴とする請求項１に記載の避難施設。
【請求項６】
換気口が、前記水路に開口するように設けられていることを特徴とする請求項５に記載の避難施設。
【請求項７】
前記取水口を塞ぐ蓋を備え、該蓋が水に浮く機能を有することを特徴とする請求項１に記載の避難施設。
【請求項８】
請求項１〜７のいずれか１項に記載の避難施設を含んで構成されることを特徴とする建物の基礎。
【発明の詳細な説明】
【技術分野】
【０００１】
本発明は、避難施設に関し、より詳細には、水害からの避難場所として好適な避難施設に関する。
【背景技術】
【０００２】
例えば、特開２０１３−２０９８７１号公報は、水害時に、水が本体に設けられた一対の脚部間に流入することによって、本体が浮き上がる技術を開示している。しかしながら、斯かる従来技術では、本体の製造及び維持に関するコストが高くつくという欠点がある。すなわち、従来技術は、本体を鋼材で製造する点を開示しているが、本体が鋼製であれば、本体の製造並びに本体の劣化を防止するための保守及び点検作業に多大なコストが必要とされる。
【０００３】
また、従来技術では、本体が浮き上がり易いという欠点がある。本体の移動は、他の建物を破壊する等の二次災害を引き起こすおそれがあるため、低レベルの洪水や津波などに対しては、むしろ本体が浮き上がらない方が望ましい。また、本体の移動は、事後に本体を元の場所に復帰させる作業を伴うので、その事後処理に多大なコストが掛かるという問題がある。
【先行技術文献】
【特許文献】
【０００４】
【特許文献１】特開２０１３−２０９８７１号公報
【発明の概要】
【発明が解決しようとする課題】
【０００５】
本発明が解決しようとする課題は、低コストで製造及び維持することが可能で、かつ本体の浮き上がりを抑制することが可能な避難施設を提供することである。
【課題を解決するための手段】
【０００６】
上記課題を解決するため、本発明は、避難者を収容し得る収容部を有する本体と、該本体を支持する枠体と、該枠体の内側に設けられる支持層と、前記本体の外壁の高所に設けられる取水口と、該取水口から取り入れられる水を前記支持層へ導く水路とを備え、前記本体が鉄筋コンクリート造であり、前記支持層が空隙を有し、前記水が前記空隙に流れ込むことによって、前記本体が浮き上がることを特徴とする避難施設を提供する。
【発明の効果】
【０００７】
本発明の避難施設は、本体が鉄筋コンクリート造である。したがって、低コストで製造及び維持することが可能である。また、本発明の避難施設は、本体の重さによって、本体が浮き上がり難く、その上、取水口が本体の外壁の高所に設けられているため、本体の浮き上がりを抑制することが可能である。
【図面の簡単な説明】
【０００８】
【図１】図１は、本発明の実施例に係る避難施設の平面図である。
【図２】図２は、本発明の実施例に係る避難施設の正面図である。
【図３】図３は、本発明の実施例に係る避難施設の右側面図である。
【図４】図４は、図１のＡ−Ａ部断面図である。
【図５】図５は、図１のＢ−Ｂ部断面図である。
【図６】図６は、図１のＣ−Ｃ部断面図である。
【図７】図７は、図１のＤ−Ｄ部断面図である。
【図８】図８は、図２のＥ−Ｅ部断面図である。
【図９】図９は、本発明の実施例に係る避難施設の使用例を示す図である。
【図１０】図１０は、本発明の実施例に係る避難施設の浮上機能を説明するための図である。
【図１１】図１１は、本発明の他の実施例に係る避難施設の特徴を示す図である。
【図１２】図１２は、本発明の他の実施例に係る避難施設の特徴を示す図である。
【発明を実施するための形態】
【０００９】
以下、本発明の実施例に基づいて本発明の実施形態を具体的に説明するが、本発明の技術的範囲は以下の説明の内容に限定されるものではない。
【実施例】
【００１０】
本発明の実施例に係る避難施設は、本体１、枠体２、支持層３、取水口４及び水路５を有して構成される。
【００１１】
本体１は、図４、図５及び図６に示したように、避難者を収容し得る収容部６を有する。収容部６は、本体１を構成する天井１ａ、床１ｂ及び壁１ｃで囲まれた空間である。本体の形状及び大きさは、何等限定されるものではない。本実施例で採用した本体１は、図１及び図２に示したように、長さ（Ｌ）１２．０ｍ、幅（Ｗ）７．２ｍ、高さ（Ｈ）２．７ｍの直方体であり、収容部６には１８０名の避難者を収容可能である。また、この本体１は、仮に５００名の避難者を収容した場合でも水に浮くことが可能である。
【００１２】
本体１は、それを構成する天井１ａ、床１ｂ及び壁１ｃのすべてが鉄筋コンクリート造である。鉄筋コンクリート造の本体１と鋼製の本体（従来技術）とを比較すると、前者は後者よりも重量が重いため、水に浮き難いという性質を有する。また、鋼製の本体は、天井、床及び壁に継ぎ目が存在する。水害時には、本体に衝撃荷重が働く機会が多いため、それらの継ぎ目が損傷し易く、収容部に水が浸入するおそれがある。対照的に、鉄筋コンクリート造の本体１は、天井１ａ、床１ｂ及び壁１ｃに継ぎ目が存在しないため、収容部６への水の浸入を効果的に防止することができる。また、鉄筋コンクリート造の本体１は、鋼製の本体よりも低コストで製造することができる。さらに、鉄筋コンクリート造の本体１は、鋼製の本体と比較して劣化し難いので、維持コストも少ないという利点がある。本実施例に係る本体１は、少なくとも半世紀以上の製品寿命を低コストで維持可能である。
【００１３】
枠体２は、本体１を安定して支持するため、図７及び図１０に示したように、割石２ａの上に打たれた捨てコンクリート２ｂの上に作ることが好ましい。枠体２は、本体１を支持し、かつ本体１の沈下を防ぐ役割を果たす以外に、水が外部から支持層３へ浸入することを防ぐ役割を果たす。
【００１４】
本体１は、本体１の浮上を可能にするため、枠体２から離脱可能に施工される。例えば、図７及び図１０に示したように、枠体２の上にシート２ｃを敷き、その上に本体１が施工される。
【００１５】
本体１は、突部１ｄを有する。突部１ｄは、図５、図６及び図８に示したように、本体１の幅方向中央に、本体１の両側面間にわたって延在するように形成されている。この突部１ｄの外側は凹んでおり、図６に示したように、本体１と支持層３との間には、突部１ｄを設けたことによって形成される空間１ｅが存在する。
【００１６】
図１、図２及び図３に示したように、本体１の天井１ａには、出入口となるハッチ７が設けられている。図６に示したように、本体１に突部１ｄを設けることによって、天井１ａと突部１ｄとの間の高さ（ｈ）は、天井１ａと床１ｂ（床１ｂにおける突部１ｄ以外の部分）との間の高さよりも低くなる。したがって、本実施例のようにハッチ７を突部１ｄの上方に設けた場合には、避難するときに、避難者が突部１ｄの上に飛び降りることができる。その結果、短時間に多くの避難者を避難させることが可能である。なお、突部１ｄの上に避難者が飛び降りたときの衝撃を和らげる物を設けても良いことは勿論である。
【００１７】
本体１は、突出部１ｆを有する。突出部１ｆは、図１、図２及び図３に示したように、本体１の底部周囲に、外側に張り出すように形成されている。突出部１ｆを地中に埋設する場合、図７に示したように、突出部１ｆの上面を土等で覆わないことが好ましい。突出部１ｆが地中に完全に埋まった状態では、本体１が浮き上がるときの抵抗が大きく、本体１の浮上を困難にさせるからである。
【００１８】
支持層３は、図４、図５、図６及び図７に示したように、枠体２の内側に設けられる。支持層３は、空隙を有する。例えば、図１０に示したように、割栗石などの石材を枠体２の内側に敷き詰めることにより、高い空隙率を有する支持層３が形成される。このような構造は、本体１を支持する役割を果たすことができると共に、高い通水性を有するので、支持層３として好適である。
【００１９】
取水口４は、高所に設けられる。「高所」とは、本体１が水に浮いているときの本体１の底から水面（Ｓ）までの高さ（Ｈ１）よりも本体１の底からの高さ（Ｈ２）が高い場所という意味である（図１０参照）。本実施例では、図７に示したように、取水口４が本体１の四隅に上向きに開口するように設けられている。但し、取水口４は、図１１に示したように、本体１の壁１ｃを貫通するように形成されても良いし、また、図１２に示したように、本体１の天井１ａよりも高い場所に設けられても良い。取水口４は、また、本実施例のように本体１の一部分として設けられても良いし、本体１とは別に設けられても良い。
【００２０】
本実施例で採用した取水口４は、図７に示したように、平常時には、蓋８で塞がれている。蓋８は、水に浮く機能を有していることが好ましい。例えば、蓋自体が水に浮く材料で構成されても良いし、蓋に浮きを取り付けて蓋を水に浮かす構成としても良い。このように構成される蓋８は、平常時には取水口４を塞いでいるが、水位が取水口４の高さ以上に達したときには自動的に開いて水を取水口４に流入させることができる。
【００２１】
水路５は、取水口４から取り入れられる水を支持層３へ導く役割を果たすものである。水路５を形成する管は、鉄筋コンクリートで構成されることが好ましい。本実施例では、図８に示したように、水路５の周囲に存する、本体１の壁１ｃと連続した外壁１ｇ及び本体１の壁１ｃと連続した内壁１ｈによって、水路５を形成する管が構成されている。このような構成によれば、外壁１ｇによって内壁１ｈの破損が防止され、それにより収容部６への漏水を効果的に防止することができる。
【００２２】
本体１は、収容部６の空気を衛生的に保つために、換気口９を有する。換気口９は、図７に示したように、水路５において下向きに開口するように設けられることが好ましい。斯かる構成によれば、換気口９が外部に露出しないので、安全に換気を行うことができる。なお、水路５が水で満たされる場合を考慮して、換気口９に浸水防止のための逆止弁を設けても良い。
【００２３】
本実施例の避難施設は、本体１が水に浮いているときの本体１の底から水面（Ｓ）までの高さ（Ｈ１）が１．３ｍであり、取水口４は、本体１底からの高さ（Ｈ２）が２．７ｍの場所に設けられている。したがって、水害が発生しても、水位が取水口４よりも低い場合（例えば、水位が１ｍほどの低レベルの水害時）には、本体１の自重によって本体１の浮き上がりが抑制される。したがって、本体１が移動することによって引き起こされる二次災害を防止できると共に、事後処理に関するコストを抑制することが可能である。
【００２４】
一方、例えば、大津波のように水位が３ｍを超える場合には、蓋８が開いて取水口４から水が取り入れられる。その水は、水路５を通って支持層３の空隙へ流入する。本体１は、空隙に流入した水の圧力によって持ち上げられ、浮き上がる。このように、この避難施設は、高レベルの水害に対しては、本体１が浮上して避難者を保護することができる。
【００２５】
本体１が浮上するとき、本実施例で採用した本体１は鉄筋コンクリート造であるため、浮上速度が鋼製の本体よりも遅い。したがって、斯かる本体１によれば、浮上時に避難者に与える衝撃を小さくすることができる。
【００２６】
本来、本体１を浮上させる水圧に耐えるために、床１ｂの強度を高める必要がある。しかしながら、本実施例で採用した本体１は突部１ｄを有するため、突部１ｄの外側に存する空間１ｅの空気が水圧を緩和する。したがって、床１ｂの強度を高く設定しなくても良い。その結果、本体１の製造コストを低く抑えることができる。また、斯かる本体１によれば、このように水圧が緩和されるので、浮上時に避難者に与える衝撃をより小さくすることができる。
【００２７】
本実施例で採用した突部１ｄは、上記したように、本体１の幅方向中央に、本体１の両側面間にわたって延在するように形成されている。したがって、本体１が水に浮いているときに本体１が傾いた場合でも、突部１ｄの両側に存する本体１の正面側と背面側の浮力差が大きくなるので、本体１の復元力が増大する。したがって、斯かる本体１によれば、本体１の傾斜を少なくすることができる。
【００２８】
本実施例で採用した本体１は、上記したように、突出部１ｆを有する。この突出部１ｆは、水に浮かんでいる本体１が横揺れしたときに水の抵抗を受けるため、その揺れを抑制することができる。したがって、斯かる本体１によれば、本体１の揺れが少ない状態で避難者を保護することができる。
【００２９】
本実施例に係る避難施設は、図９に示したように、本体１の上に建物１０を建築することが可能であるので、平常時には、建物の基礎として使用することが可能である。
【符号の説明】
【００３０】
１  本体
１ａ  天井
１ｂ  床
１ｃ  壁
１ｄ  突部
１ｅ  空間
１ｆ  突出部
１ｇ  外壁
１ｈ  内壁
２  枠体
２ａ  割石
２ｂ  捨てコンクリート
２ｃ  シート
３  支持層
４  取水口
５  水路
６  収容部
７  ハッチ
８  蓋
９  換気口
１０  建物
１１  地面
【図１】
0006500427.tif 000002
【図２】
0006500427.tif 000003
【図３】
0006500427.tif 000004
【図４】
0006500427.tif 000005
【図５】
0006500427.tif 000006
【図６】
0006500427.tif 000007
【図７】
0006500427.tif 000008
【図８】
0006500427.tif 000009
【図９】
0006500427.tif 000010
【図１０】
0006500427.tif 000011
【図１１】
0006500427.tif 000012
【図１２】
0006500427.tif 000013